(57)【要約】【課題】  本発明は、施工が簡単であり且つ操作性も良好な日除け及び遮視装置を提供することにある。【解決手段】  屋根枠１と、屋根枠１を支持する支柱５と、巻き取り式のシート６とを備え、屋根枠１は、前枠２と躯体側枠４と両側枠３とからなり、シート６は、躯体側枠４に取り付けてあり、シート６を手前に引き出して屋根枠１と屋根前とを覆うことができると共に、シート６を適宜の引き出し位置で保持できることを特徴とする。【選択図】      図１
2012112123.tif 000002
【特許請求の範囲】
【請求項１】
屋根枠と、屋根枠を支持する支柱と、巻き取り式のシートとを備え、屋根枠は、前枠と躯体側枠と両側枠とからなり、シートは、躯体側枠に取り付けてあり、シートを手前に引き出して屋根枠と屋根前とを覆うことができると共に、シートを適宜の引き出し位置で保持できることを特徴とする日除け及び遮視装置。
【請求項２】
両側枠は、その内周側に、シートを引き出してシート両側端を前方に案内するガイド部が設けてあるとともに、前枠は、ガイド部と連続して前側が開放してあり、手前に引き出したシートが前枠を乗り越えて屋根枠の前方側を覆うことを特徴とする請求項１記載の日除け及び遮視装置。
【請求項３】
支柱は、前枠の前端で屋根枠体を支持しており、シートを手前に引き出したときに前枠から支柱に沿って摺動することを特徴とする請求項２記載の日除け及び遮視装置。
【発明の詳細な説明】
【技術分野】
【０００１】
本発明は、建物の窓室外側に設置することにより、室内への日差しの遮断とプライバシーの保護を図る日除け及び遮視装置に関するものである。
【背景技術】
【０００２】
室内に差し込む日差しの遮断や、外部から室内への遮視を目的する装置としては、特開２００１−１８２２６５号公報に開示されるものがある。この装置は、前枠と躯体側枠と両側枠とで枠組みした屋根枠の躯体側枠を躯体の窓室外側上方の壁面に固定し、屋根枠の側枠間のスライド部材と躯体側枠のそれぞれに巻き取り式のシートを配置したものである。そして、使用時には、側枠間のスライド部材と共に躯体側枠に取り付けてあるシートが手前に引き出されて屋根枠を覆うとともに、側枠間のスライド部材に取り付けてあるシートを下方に引き出すことで、窓室外側の上方と前方をシートで遮って日除けやプライバシーの保護を図っている。
【先行技術文献】
【特許文献】
【０００３】
【特許文献１】特開２００１−１８２２６５号公報
【発明の概要】
【発明が解決しようとする課題】
【０００４】
上記の特許文献１に開示されるものは、屋根枠を躯体に固定するため、躯体に穴をあける必要があり、施工が大変である。また、巻き取り式のシートを側枠間のスライド部材と躯体側枠のそれぞれに設置し、個々に窓室外側の上方と前方を遮るものであるため、構造が複雑になると共に、側枠間のスライド部材にある程度の大きさを要するため、スッキリとした意匠が得られなかった。本発明は、上記課題を鑑みてなされたものであり、簡易な構成で施工が容易であり且つ操作性も良好な日除け及び遮視装置を提供することにある。
【課題を解決するための手段】
【０００５】
本発明のうち請求項１記載の発明は、屋根枠と、屋根枠を支持する支柱と、巻き取り式のシートとを備え、屋根枠は、前枠と躯体側枠と両側枠とからなり、シートは、躯体側枠に取り付けてあり、シートを手前に引き出して屋根枠と屋根前とを覆うことができると共に、支柱にはシートを適宜の引き出し位置で保持できることを特徴とする。
【０００６】
本発明のうち請求項２記載の発明では、両側枠は、その内周側に、シートを引き出してシート両側端を前方に案内するガイド部が設けてあるとともに、前枠は、ガイド部と連続して前側が開放してあり、手前に引き出したシートが前枠を乗り越えて屋根枠の前方側を覆うことを特徴とする。
【０００７】
本発明のうち請求項３記載の発明では、支柱は、前枠の前端で屋根枠を支持しており、シートを手前に引き出したときに前枠から支柱に沿って摺動することを特徴とする。
【発明の効果】
【０００８】
本発明の請求項１記載の発明によれば、屋根枠が支柱に支持されるため、躯体に工事を必要とせず、施工が容易である。また、屋根枠の躯体側枠から引き出されたシートを前方の適宜な位置まで引き出し、その引き出し位置で保持できることから、一度の操作により室内に差し込む日差しの日除けや遮視が可能となると共に、枠の構造をシンプルでコンパクトにできる。
【０００９】
本発明の請求項２記載の発明によれば、両側枠のガイド部によりシートを引き出しやすくなるとともに、その引き出したシートが前枠に当たらずにスムーズに引き出すことができるから屋根前まで覆うことができる。
【００１０】
本発明の請求項３記載の発明によれば、シートを側枠から支柱に沿って連続して引き出すことができることにより、シートの引き出しが一層手軽に行えるとともに、支柱間でシートが支持されるので屋根前を覆うシートが安定設置される。
【図面の簡単な説明】
【００１１】
【図１】（ａ）は、本実施による日除け及び遮視装置の全体を示す斜視図であり、（ｂ）は、（ａ）中Ａ−Ａ線の一部を拡大した縦断面図である。
【図２】（ａ）は、本実施による日除け及び遮視装置の使用状態を示す側面図であり、（ｂ）は、図２（ａ）中Ｂを拡大した斜視図である。
【図３】（ａ）は、本発明の他の実施形態を示す斜視図であり、（ｂ）は、図３（ａ）中Ｃを拡大して示す斜視図である。
【図４】図３に示す日除け及び遮視装置の使用状態を示す側面図である。
【発明を実施するための形態】
【００１２】
以下に、図面に基づいて本実施による日除け及び遮視装置の実施の形態を説明する。
本実施による日除け及び遮視装置は、図１（ａ）のように、前枠２と躯体側枠４と両側枠３とからなる屋根枠１と、屋根枠１を躯体壁１２の窓屋外側に配置する支柱５と、屋根枠１の躯体側枠４側に取り付ける巻き取り式のシート６とからなっている。
【００１３】
屋根枠１を構成する両側枠３は、立設壁３ａと水平壁３ｂとから断面略Ｌ字状をなしており、この立設壁３ａと水平壁３ｂの内周側にシート６のガイド部を形成し、両側枠３の前端部には、前枠２を取り付けるための取付穴３ｃが設けてある。前枠２は、両側端部に両側枠３の立設壁３ａと連続する垂直壁２ｂを有しており、前枠２の上面２ａは、両側枠３の水平壁３ｂ上面と連続すると共に前方に向かって上向きに傾斜している。躯体側枠４は、両側枠３間の躯体壁側に固定され、躯体壁１２と隣り合う位置に設けてある。躯体側枠４の上部にはシート６が取り付けてある。また、躯体側枠４の躯体壁側には、図１（ｂ）のように、躯体壁１２の接触を和らげるクッション部１３が取り付けてあり、躯体側枠４と躯体壁１２が直に接触しないようにしてあると共に、万一、接触した場合でも屋根枠１や躯体壁１２から伝達される振動を吸収する。シート６は、方形をなす布が水平軸にロール状に巻き取られたものであり、シート６の引き出し側端に紐８が取り付けられた縁材６ａが取り付けてあるとともに、前方側に取出口１５ａを有するケース体１５に格納されている。
【００１４】
そして、図２（ａ）は、上述した本実施による日除け及び遮視装置の使用状態について説明するものである。前枠２から垂れ下がった紐８を引っ張ってシート６を手前に引き出すと、シート６の前端部に取り付けてある縁材６ａの両側端が両側枠３のガイド部でそれぞれ案内されながら摺動して前枠２に到達する。さらに紐８を引くと縁材６ａが前枠２を乗り越えて前側に垂れ下がる。このようにシート６を適宜な位置まで引き出した後、支柱５の中間部、または地面１０にそれぞれ設けてある回転具１１ａ〜１１ｃ（図２（ｂ）参照）のいずれかに、一部１４ａが開閉するリング１４を一端に取り付けた紐８を引っ掛けることにより、シート６が巻き戻らない状態で位置決めされる。
【００１５】
図３（ａ）は、本発明の他の実施形態を示すものである。上記実施形態のものと相違する構成のみを説明すれば、支柱２５は、両側枠２３における前枠２２を取り付けてある位置で屋根枠２１を支持している。側枠２３の前端面と支柱２５の上端面は、前枠２２を介して連結してある。そして、図３（ｂ）のように、支柱２５は、前後壁２５ａと左右壁２５ｂとから断面略Ｌ字状をなして各々の内周側がシート２６のガイド部を形成しており、このガイド部は、そのＬ字の内周面に沿ってシート２６の縁材２６ａの長手方向側端が摺動することにより、引き出したシート２６が支柱２５の適宜な位置で位置決めできるようになっている。側枠２３の立設壁２３ａと支柱２５の前後壁２５ａ間には半円状をなすコーナーキャップ３３が取り付けてあり、側枠２３のガイド部と支柱２５のガイド部が曲面で連続するように形成してある。そして、図４のように、手前に引き出したシート２６は、側枠２３のガイド部を摺動して前枠２２を乗り越え、支柱２５のガイド部まで到達し、支柱２５のガイド部の適宜な箇所で係止されることにより、シート２６の多段階的な位置決めができるように形成してある。
【００１６】
本発明の日除け及び遮視装置は、手前に引き出したシート６，２６を屋根枠１の屋根前に引き出して屋根前を覆うことのできるものであれば、前枠２，２２の形状については特に限定しない。また、縁材６ａ，２６ａについても、シート６，２６を両側枠３，３間に張りながら手前に引き出しやすくするものであればよく、丸棒状のものや平板状のものでもよい。また、手前に引き出したシート６，２６を所定の引き出し位置で位置決めする手段については、紐８を支柱５，２５や地面１０に設けた回転具１１ａ〜１１ｃに引っ掛ける他、シート６，２６の巻き取り側において引き出したシート６，２６が巻き戻らないようにするロック機構を有するものでもよい。
【符号の説明】
【００１７】
１  屋根枠
２、２２  前枠
３，２３  側枠
４，２４  躯体側枠
５，２５  支柱
６，２６  シート
【図１】
2012112123.tif 000003
【図２】
2012112123.tif 000004
【図３】
2012112123.tif 000005
【図４】
2012112123.tif 000006